(57)【要約】  ある実施形態によると、システムは、それぞれのビーム分割器セットが、第１のビーム分割器モジュールと、第１のビーム分割器モジュールと整列する第２のビーム分割器モジュールとを備える、ビーム分割器セットを含む。第１のビーム分割器モジュールは、第１の光５路に沿って移動する第１のビームを受光する。第１のビーム分割器モジュールは、第１のビームを、第１の光路に沿って透過される第１の出力ビームと、反射ビーム路に沿って第２のビーム分割器モジュールに透過される第１の分割ビームとに分割する。第２のビーム分割器モジュールは、第１の分割ビームを受光する。第２のビーム分割器モジュールは、第１の分割ビームを、反射ビーム路に実質的に平行に透過される１０第２の出力ビームと、反射ビーム路に実質的に垂直に透過される第２の分割ビームとに分割する。
2015515025.tif 000002
【特許請求の範囲】
【請求項１】
複数のビーム分割器セットであって、それぞれが、第１のビーム分割器モジュールと、前記第１のビーム分割器モジュールと整列する第２のビーム分割器モジュールとを備える、複数のビーム分割器セットを備え、
前記第１のビーム分割器モジュールが、
第１の光路に沿って移動する第１のビームを受光し、かつ
前記第１のビームを、前記第１の光路に沿って透過される第１の出力ビームと、反射ビーム路に沿って前記第２のビーム分割器モジュールに透過される第１の分割ビームとに分割するように構成され、
前記第２のビーム分割器モジュールが、
前記第１の分割ビームを受光し、かつ
前記第１の分割ビームを、前記反射ビーム路に実質的に平行に透過される第２の出力ビームと、前記反射ビーム路に実質的に垂直に透過される第２の分割ビームとに分割するように構成される、システム。
【請求項２】
前記ビーム分割器セットの前記ビーム分割器モジュールが整列する、請求項１に記載のシステム。
【請求項３】
前記第１のビーム分割器モジュールが、対物レンズから前記第１のビームを受光するように構成される、請求項１に記載のシステム。
【請求項４】
前記第１のビーム分割器モジュールが、１つ以上の接眼レンズに前記第１の出力ビームを送光するように構成される、請求項１に記載のシステム。
【請求項５】
第２のビーム分割器モジュールが、ポートに第２の出力ビームを送光するように構成される、請求項１に記載のシステム。
【請求項６】
前記第２のビーム分割器モジュールが、画像捕捉システムに前記第２の分割ビームを送光するように構成される、請求項１に記載のシステム。
【請求項７】
複数のビーム分割器セットであって、それぞれが、第１のビーム分割器モジュールと、前記第１のビーム分割器モジュールと整列する第２のビーム分割器モジュールとを備える、複数のビーム分割器セットで、複数の光ビームを受光することと、
前記第１のビーム分割器モジュールで、第１の光路に沿って移動する第１のビームを受光することと、
前記第１のビーム分割器モジュールにより、前記第１のビームを、前記第１の光路に沿って透過される第１の出力ビームと、反射ビーム路に沿って前記第２のビーム分割器モジュールに透過される第１の分割ビームとに分割することと、
前記第２のビーム分割器モジュールで、前記第１の分割ビームを受光することと、
前記第２のビーム分割器モジュールにより、前記第１の分割ビームを、前記反射ビーム路に実質的に平行に透過される第２の出力ビームと、前記反射ビーム路に実質的に垂直に透過される第２の分割ビームとに分割することと、を含む、方法。
【請求項８】
前記第１のビーム分割器モジュールで、対物レンズからの前記第１のビームを受光することを更に含む、請求項７に記載の方法。
【請求項９】
前記第１のビーム分割器モジュールによって、１つ以上の接眼レンズに前記第１の出力ビームを送光することを更に含む、請求項７に記載の方法。
【請求項１０】
前記第２のビーム分割器モジュールによって、ポートに前記第２の出力ビームを送光することを更に含む、請求項７に記載の方法。
【請求項１１】
前記第２のビーム分割器モジュールによって、前記第２の分割ビームを画像捕捉システムに送光することを更に含む、請求項７に記載の方法。
【請求項１２】
複数のビーム分割器セットであって、それぞれが、第１のビーム分割器モジュールと、前記第１のビーム分割器モジュールと整列する第２のビーム分割器モジュールとを備える、複数のビーム分割器セットを備え、
前記第１のビーム分割器モジュールが、
第１の光路に沿って移動する第１のビームを受光し、かつ
前記第１のビームを、前記第１の光路に沿って透過される第１の出力ビームと、反射ビーム路に沿って前記第２のビーム分割器モジュールに透過される第１の分割ビームとに分割するように構成され、
前記第２のビーム分割器モジュールが、
前記第１の分割ビームを受光し、前記第１の分割ビームを前記反射ビーム路の直線に実質的に平行に透過させ、かつ
第２のビームを受光し、前記第２のビームを前記第１のビーム分割器モジュールに透過させるように構成され、
前記第１のビーム分割器モジュールが、
前記第２のビームを受光し、前記第２のビームを前記第１の光路に沿って透過させるように更に構成される、システム。
【請求項１３】
前記ビーム分割器セットの前記ビーム分割器モジュールが整列する、請求項１２に記載のシステム。
【請求項１４】
前記第１のビーム分割器モジュールが、対物レンズから前記第１のビームを受光するように構成される、請求項１２に記載のシステム。
【請求項１５】
前記第１のビーム分割器モジュールが、１つ以上の接眼レンズに前記第１の出力ビームを送光するように構成される、請求項１２に記載のシステム。
【請求項１６】
前記第２のビーム分割器モジュールが、ポートに前記第１の分割ビームを送光するように構成される、請求項１２に記載のシステム。
【請求項１７】
前記第２のビーム分割器モジュールが、画像表示システムから前記第２のビームを受光するように構成される、請求項１２に記載のシステム。
【請求項１８】
複数のビーム分割器セットであって、それぞれが、第１のビーム分割器モジュールと、前記第１のビーム分割器モジュールと整列する第２のビーム分割器モジュールとを備える、複数のビーム分割器セットで、複数の光ビームを受光することと、
前記第１のビーム分割器モジュールで、第１の光路に沿って移動する第１のビームを受光することと、
前記第１のビーム分割器モジュールにより、前記第１のビームを、前記第１の光路に沿って透過される第１の出力ビームと、反射ビーム路に沿って前記第２のビーム分割器モジュールに透過される第１の分割ビームとに分割することと、
前記第２のビーム分割器モジュールにより、前記第１の分割ビームを前記反射ビーム路の直線に実質的に平行に透過させることと、
前記第２のビーム分割器モジュールにより、第２のビームを前記第１のビーム分割器モジュールに透過させることと、
前記第１のビーム分割器モジュールにより、前記第２のビームを前記第１の光路に沿って透過させることと、を含む、方法。
【請求項１９】
前記第１のビーム分割器モジュールで、対物レンズからの前記第１のビームを受光することを更に含む、請求項１８に記載の方法。
【請求項２０】
前記第１のビーム分割器モジュールによって、１つ以上の接眼レンズに前記第１の出力ビームを送光することを更に含む、請求項１８に記載の方法。
【請求項２１】
前記第２のビーム分割器モジュールによって、ポートに前記第１の分割ビームを送光することを更に含む、請求項１８に記載の方法。
【請求項２２】
前記第２のビーム分割器モジュールで、前記第２のビームを画像表示システムから受光することを更に含む、請求項１８に記載の方法。
【発明の詳細な説明】
【技術分野】
【０００１】
本開示は、概して、光ビーム分割、より具体的には、立体ビーム分割器に関する。
【背景技術】
【０００２】
顕微鏡は、ターゲットから光ビームを受光して、ターゲットの画像を取得する。特定の顕微鏡において、光ビームは、分割され、または他のビームと組み合わされ得る。例えば、光ビームは、分割ビームを取得するために、分割され得る。分割ビームは、異なる用途のために異なる送光先、例えば、１人以上のユーザが見るために１つ以上の接眼レンズに、および／または記録するためのカメラに送光され得る。別の例として、光ビームは、画像を組み合わせるために、別の光ビームと組み合わされ得る。例えば、ターゲット画像は、顕微鏡パラメータについての情報を提供する画像と重ねられ得る。
【発明の概要】
【０００３】
ある実施形態によると、システムは、それぞれのビーム分割器セットが、第１のビーム分割器モジュールと、第１のビーム分割器モジュールと整列する第２のビーム分割器モジュールとを備える、ビーム分割器セットを含む。第１のビーム分割器モジュールは、第１の光路に沿って移動する第１のビームを受光する。第１のビーム分割器モジュールは、第１のビームを、第１の光路に沿って透過される第１の出力ビームと、反射ビーム路に沿って第２のビーム分割器モジュールに透過される第１の分割ビームとに分割する。第２のビーム分割器モジュールは、第１の分割ビームを受光する。第２のビーム分割器モジュールは、第１の分割ビームを、反射ビーム路に実質的に平行に透過される第２の出力ビームと、反射ビーム路に実質的に垂直に透過される第２の分割ビームとに分割する。
【０００４】
ある実施形態によると、方法は、それぞれのビーム分割器セットが、第１のビーム分割器モジュールと、第１のビーム分割器モジュールと整列する第２のビーム分割器モジュールとを備えるビーム分割器セットで、光ビームを受光することを含む。第１の光路に沿って移動する第１のビームは、第１のビーム分割器モジュールで受光される。第１のビーム分割器モジュールにより、第１のビームは、第１の光路に沿って透過される第１の出力ビームと、反射ビーム路に沿って第２のビーム分割器モジュールに透過される第１の分割ビームとに分割される。第１の分割ビームは、第２のビーム分割器モジュールで受光される。第１の分割ビームは、第２のビーム分割器モジュールにより、反射ビーム路に実質的に平行に透過される第２の出力ビームと、反射ビーム路に実質的に垂直に透過される第２の分割ビームとに分割される。
【０００５】
ある実施形態によると、システムは、それぞれのビーム分割器セットが、第１のビーム分割器モジュールと、第１のビーム分割器モジュールと整列する第２のビーム分割器モジュールとを備えるビーム分割器セットを含む。第１のビーム分割器モジュールは、第１の光路に沿って移動する第１のビームを受光する。第１のビーム分割器モジュールは、第１のビームを、第１の光路に沿って透過される第１の出力ビームと、反射ビーム路に沿って第２のビーム分割器モジュールに透過される第１の分割ビームとに分割する。第２のビーム分割器モジュールは、第１の分割ビームを受光し、第１の分割ビームを反射ビーム路の直線に実質的に平行に透過させる。第２のビーム分割器モジュールは、第２のビームを受光し、第２のビームを前記第１のビーム分割器モジュールに透過させる。第１のビーム分割器モジュールは、第２のビームを更に受光し、第２のビームを第１の光路に沿って透過させる。
【０００６】
ある実施形態によると、方法は、それぞれのビーム分割器セットが、第１のビーム分割器モジュールと、第１のビーム分割器モジュールと整列する第２のビーム分割器モジュールとを備えるビーム分割器セットで、光ビームを受光することを含む。第１の光路に沿って移動する第１のビームは、第１のビーム分割器モジュールで受光される。第１のビーム分割器モジュールにより、第１のビームは、第１の光路に沿って透過される第１の出力ビームと、反射ビーム路に沿って第２のビーム分割器モジュールに透過される第１の分割ビームとに分割される。第１の分割ビームは、第２のビーム分割器モジュールにより、反射ビーム路の直線に実質的に平行に透過される。第２のビームは、第２のビーム分割器モジュールにより、第１のビーム分割器モジュールに透過される。第２のビームは、第１のビーム分割器モジュールにより、第１の光路に沿って透過される。
【図面の簡単な説明】
【０００７】
【図１】ある実施形態による、ビーム分割システムを有する顕微鏡システムの一例を示す。
【図２】ある実施形態による、図１の顕微鏡システムと共に使用され得るビーム分割システムの一例を示す。
【図３Ａ】ある実施形態による、ビーム分割器システムで使用され得るビーム分割器モジュールの例を示す。
【図３Ｂ】ある実施形態による、ビーム分割器システムで使用され得るビーム分割器モジュールの例を示す。
【図４】ある実施形態による、図１の顕微鏡システムと共に利用され得るビーム分割器システムの一例を示す。
【発明を実施するための形態】
【０００８】
ここで、例として、本開示の例示的実施形態を添付の図面を参照しながらより詳細に説明する。
【０００９】
ここで、説明および図面を参照して、開示される装置、システムおよび方法の例示的実施形態を詳細に示す。説明および図面は、網羅的であること、または別様に、特許請求の範囲を、図面に示され、説明において開示される特定の実施形態に限定もしくは制限することを意図しない。図面は可能な実施形態を表すが、図面は必ずしも縮尺通りではなく、実施形態をより良く例示するために、ある特定の特徴が誇張される、取り除かれる、または部分的に分割される可能性がある。
【００１０】
図１は、ビーム分割システム２２を有する顕微鏡システム１０の一例を示す。この例では、顕微鏡システム１０は、対物レンズ２０、分割システム２２、１つ以上の接眼レンズ２４、１つ以上のポート２６、および画像システム４２を含む。顕微鏡システム１０は、眼科手術用光学顕微鏡のような任意の好適な顕微鏡であり得る。光学顕微鏡は、顕微鏡の焦点面内に配置されたターゲットの拡大画像を作像する１つ以上のレンズを含む。レンズは、検出器に向かうターゲット（例えば、眼など）からの（例えば、放出または反射される）光を焦束し得る。レンズは、ターゲットからの光を集光し、光ビームを集束して実際の画像を作像する対物レンズ２０を含み得る。
【００１１】
分割システム２２は、ターゲット光ビームを分割する、および／またはターゲット光ビームを他の光ビームと組み合わせることができる。分割システム２２の例は、図２〜４を参照してより詳細に説明される。分割システム２２は、ターゲットから接眼レンズ２４、ポート２６、および／または画像システム４２に少なくともいくらかの光を送光し得る。接眼レンズ２４は、観察者がターゲットの画像を見ることができるように、対物レンズ２０の焦点の近くに位置している。ポート２６を使用して、ターゲット光ビームを受光し得るデバイス、例えば、別の観察者用の１つ以上の追加的接眼レンズまたは画像捕捉システムなどを結合し得る。
【００１２】
ある実施形態において、画像システム４２は、分割システム２２から光ビームを受光して、光ビームからターゲットの１つ以上の画像（例えば、単一の画像または画像のストリーム）を生成する画像捕捉システムであり得る。例えば、画像捕捉システムは、ターゲットのビデオ画像を生成するビデオカメラであり得る。他の実施形態において、画像システム４２は、分割システム２２に画像ビーム内の１つ以上の画像を伝送する画像表示システムであり得る。例えば、画像表示システムは、情報を通信する画像を提供する発光ダイオード（ＬＥＤ）（例えば、有機ＬＥＤ）システムであり得る。分割システム２２は、画像ビームと、接眼レンズ２４を介して情報およびターゲットを表示するターゲット光ビームとを組み合わせ得、例えば、情報画像は、ターゲット画像に重ねられ得る。情報の例としては、ターゲット情報（例えば、患者データ）、時間情報（例えば、時間または経過時間）、および指示情報（例えば、ステップまたは次のステップ）が含まれ得る。指示情報としては、外科的処置の手順をシミュレートする遠隔インストラクターからのビデオフィードが一例として挙げられ得る。
【００１３】
図２は、図１の顕微鏡システム１０と共に使用され得る分割システム２２の一例を示す。この例では、分割システム２２は、ビーム分割器システム３２、１つ以上のポート２６、レンズ３６、焦束アセンブリ３９、および画像システム４２を含む。ビーム分割器システム３２は、中にビーム分割器モジュール３４および光学スペーサ３５が配設されている筐体３０を備える。ビーム分割器システム３２は、ポート２６に、スペーサ３５を介して接眼レンズ２４に、および／または画像システム４２に、光ビームを送光し得る。ビーム分割器システム３２は、図３を参照してより詳細に説明される。レンズ３６は、ビーム分割器モジュール３４から画像システム４２に、および／または画像システム４２からビーム分割器モジュール３４に光ビームを誘導する。焦束アセンブリ３９は、ビーム分割器システム３２からの光ビームを焦束する。
【００１４】
分割システム２２に任意の好適な修正が行われ得る。ある実施形態では、１つ以上の出力は、１つ以上の入力で置換され得、および／または１つ以上の入力は、１つ以上の出力によって置換され得る。異なる構成要素、例えば、異なる入力／出力デバイスおよび／またはビーム分割器モジュール３４などを使用して、これらの修正を行い得る。他の実施形態において、異なる出力および／または入力デバイスが使用され得る。例えば、あるチャネルのビデオカメラ４２は、そのチャネルのヘッドアップディスプレイを作成するために、ビデオ表示と置換され得る。例えば、一方のプリズム３４を異なる種類のプリズムと置換して、他方のプリズム３４を回転させるといった他の修正が、ヘッドアップディスプレイを実装するために行われ得る。
【００１５】
図３Ａおよび３Ｂは、ビーム分割器システム３２で使用され得るビーム分割器モジュール３４の例を示す。ビーム分割器モジュール３４は、光ビームを分割および／または組み合わせるように動作する１つ以上の光学要素を含み得る。光学要素の例としては、レンズ、ミラー、プリズムなどが挙げられる。ある実施形態において、ビーム分割器モジュール３４は、２つの接合された直角プリズムを含むキューブビーム分割器であり得る。反射および透過ビームは、ガラスと同じ分量だけ移動することができ、よって、それぞれの腕部の光路長が増長するが、両方の光路は、同じ分量だけ増大する。ビーム分割器モジュール３４は、任意の好適なスペクトル域を有していてもよく、これは、例えば、ブロードバンド可視、ＩＲ、または紫外線域もしくは幅５０ｎｍ未満（例えば、５２０〜５４０ｎｍの範囲）であり得る狭いスペクトル域などである。
【００１６】
図３Ａは、入力光ビーム４８を受光して、分割領域４９で受光ビーム４８を分割し、複数の出力分割ビーム５０、５２を取得する、ビーム分割器モジュール３４を示す。この例では、分割ビーム５０は、透過ビームと見なされ得、分割ビーム５２は、反射ビームと見なされ得る。透過および反射ビームは、受光ビーム４８の任意の好適な比率を構成し得る。例えば、透過ビームが約５０％、および反射ビームが約５０％、または透過ビームが５０％未満、および反射ビームが５０％超、または透過ビームが５０％超（例えば、約７０％）、および反射ビームが５０％未満（例えば、約３０％）であり得る。
【００１７】
透過ビームは、（受光ビームにより使用されるのと実質的に同一の光路５６であり得る）透過ビーム路５６に沿って移動し、反射ビームは、透過ビーム路５６に任意の好適な角度であり得る反射ビームの光路５８に沿って移動する。例えば、角度は、ほぼ９０度、９０度未満、または９０度超であり得る。光路５６および５８は、仮想平面６０を画定するものと見なされ得る。
【００１８】
図３Ｂは、入力光ビーム１４８、１５２を受光して、組み合わせ領域１４９でビーム１４８、１５２を組み合わせ、組み合わせビーム１５０を含む出力ビームを取得する、ビーム分割器モジュール３４を示す。この例では、ビーム１４８は、一次ビームと見なされ得、ビーム１５２は、二次ビームと見なされ得る。一次および二次ビームは、組み合わせビーム１５０の任意の好適な比率を構成し得る。例えば、一次ビームが約５０％、および二次ビームが約５０％、または一次ビームが５０％未満、および二次ビームが５０％超、または一次ビームが５０％超、および二次ビームが５０％未満であり得る。
【００１９】
一次ビームは、（組み合わせビームにより使用されるのと実質的に同一の光路１５６であり得る）一次ビーム路１５６に沿って移動し、二次ビームは、一次ビーム路１５６に任意の好適な角度であり得る二次ビーム路１５８に沿って移動する。例えば、角度は、ほぼ９０度、９０度未満、または９０度超であり得る。光路１５６および１５８は、仮想平面１６０を画定するものと見なされ得る。
【００２０】
図３Ａおよび３Ｂに関して、ある実施形態において、２つ以上のビーム分割器モジュール３４は、相互に整列し得る。例えば、モジュール３４は、次の１つ以上の条件が満たされるように整列され得る。（１）平面６０が実質的に同一平面上にある、および／または（２）１つのモジュール３４の入力ビーム路が、別のモジュール３４の出力ビーム路と実質的に整列する。
【００２１】
図４は、顕微鏡システムで利用され得るビーム分割器システム３２の一例を示す。示された例において、ビーム分割器システム３２は、複数のビーム分割器セット３７を含む。それぞれのビーム分割器セット３７は、立体画像化を可能にするために、光ビームを透過させる。それぞれのビーム分割器セット３７は、第１のビーム分割器モジュール３４ａと、第１のビーム分割器モジュール３４ａと整列する第２のビーム分割器モジュール３４ｂとを含む。ある実施形態において、複数のビーム分割器セット３７のいくつかまたは全てのビーム分割器システム３４ａ〜ｂは、全て相互に整列する。
【００２２】
ある実施形態において、第１のビーム分割器モジュール３４ａは、図３Ａを参照して説明されたものと同様の方法で、ビームを分割するように動作する。第１のビーム分割器モジュール３４ａは、第１の光路５６に沿って移動する第１のビーム４８を受光し、かつ第１のビーム４８を、第１の光路５６に沿って透過される第１の出力ビーム５０と、反射ビーム路に沿って第２のビーム分割器モジュール３４ｂに向かう第１の分割ビームとに分割する。ある実施形態において、第１のビーム分割器モジュール３４ａは、対物レンズから第１のビーム４８を受光し得、および／または１つ以上の接眼レンズに第１の出力ビーム５０を送光し得る。
【００２３】
ある実施形態において、第２のビーム分割器モジュール３４ｂは、図３Ａを参照して説明されたものと同様の方法で、ビームを分割するように動作する。第２のビーム分割器モジュール３４ｂは、第１のビーム分割器モジュール３４ａから第１の分割ビームを受光し、かつ第１の分割ビームを、反射ビーム路５８に実質的に平行に透過される第２の出力ビーム６０と、反射ビーム路５８および光路５６に実質的に垂直に透過される第２の分割ビーム６２とに分割する。第２のビーム分割器モジュール３４ｂは、ポートに向かって第２の出力ビーム６０を送光し得、および／または画像捕捉システムに向かって第２の分割ビーム６２を送光し得る。
【００２４】
他の実施形態において、第２のビーム分割器モジュール３４ｂは、図３Ｂを参照して説明されたものと同様の方法で、ビームを組み合わせるように動作する。第２のビーム分割器モジュール３４ｂは、第１のビーム分割器モジュール３４ａから第１の分割ビームを受光し、第１の分割ビームを反射ビーム路５８に実質的に平行に透過させる。第２のビーム分割器モジュール３４ｂはまた、第２のビーム６４を（例えば、画像表示システムから）受光し、第２のビーム６４を前記第１のビーム分割器モジュール３４ａに透過させる。第１のビーム分割器モジュール３４ｂは、第２のビーム６４を受光し、第２のビーム６４を第１の光路５６に沿って透過させる。
【００２５】
特定の実施形態に関して本開示を説明したが、実施形態の修正（例えば変更、置換、追加、削除、および／または他の修正）が当業者に明らかになるだろう。したがって、本発明の範囲から逸脱せずに、実施形態に修正が行われ得る。例えば、本明細書に開示されるシステムおよび装置に修正が行われ得る。本システムおよび装置の構成要素は、統合または分離されてもよく、本システムおよび装置の動作は、より多い、より少ない、または他の構成要素により実行され得る。別の例として、本明細書に開示される方法に修正が行われ得る。方法は、より多い、より少ない、または他のステップを含んでもよく、またステップは、任意の好適な順番で行われてもよい。
【００２６】
本発明の範囲から逸脱せずに、他の修正が可能である。例えば、説明は、具体的な実際の用途における実施形態を例示しているが、更に他の用途が当業者に明らかである。更に、本明細書において議論される技術分野において将来の発展が生じ、開示されるシステム、装置、および方法は、そのような将来の発展と共に利用される。
【００２７】
本発明の範囲は、説明を参照して判断されるべきでない。特許法に従い、説明は、例示的実施形態を使用して、本発明の原理および動作形態を説明および例示する。説明によって、当業者は、様々な実施形態におけるシステム、装置および方法を、様々な修正と共に利用することができるが、説明は、本発明の範囲を決定するために使用されるべきではない。
【００２８】
本発明の範囲は、特許請求の範囲、および特許請求の範囲によって権利付与される均等物の全範囲を参照して決定されるべきである。全ての特許請求の範囲の用語は、異なる明示的な指示が本明細書中で行われていない限り、最も広範囲の合理的な構成、および当業者によって理解されるような通常の意味を与えられるべきである。例えば、「ａ」、「ｔｈｅ」などのような単数冠詞の使用は、特許請求の範囲が、異なる明示的な制限を列挙する場合を除き、示された要素のうちの１つ以上を列挙するものと理解されるべきである。別の例として、「それぞれ」は、集合のそれぞれの要素または集合の部分集合のそれぞれの要素を指し、集合は、ゼロ、１つ、または２つ以上の要素を含み得る。要約すると、本発明は、修正が可能であり、本発明の範囲は、説明を参照してではなく、特許請求の範囲およびその均等物の全範囲を参照して決定されるべきである。
【図１】
2015515025.tif 000003
【図２】
2015515025.tif 000004
【図３Ａ】
2015515025.tif 000005
【図３Ｂ】
2015515025.tif 000006
【図４】
2015515025.tif 000007
【国際調査報告】
2015515025.tif 000008